(57)【特許請求の範囲】
【請求項１】
建物の壁面開口に取り付けられる換気装置において、
建物の壁体内に配設され上下方向に通気可能な内部空間を有する縦通気部，前記壁面開口を貫通するように配設されると共に前記縦通気部の下端に一端が連通され他端が屋外に連通された内部空間を有する横通気部，を備えた本体部と、前記横通気部の前記壁面開口から屋外に突出した部分に取り付けられるカバー材と、を備え、
前記横通気部の屋外突出部分は、略水平な横長の直線状の壁面開口に挿通可能な横長矩形断面の筒状体とされ、
前記カバー材は、前記筒状体の上面と側面が内接するコの字断面部と、該コの字断面部の一端側を閉鎖する先端面と、を有して形成され、該先端面は前記横通気部の断面形状に対応した横長の直線形状とされ、前記先端面の下端と、前記筒状体の下面の先端との間に所定の通気開口が形成される位置に位置決めされて取り付けられることを特徴とする換気装置。
【請求項２】
前記縦通気部の上端に設けられた開口は、所定の屋内空間に連通されたダクトを接続可能に形成されたことを特徴とする請求項１に記載の換気装置。
【請求項３】
請求項１または請求項２に記載の換気装置の取付方法であって、
建物の壁面に取り付けられる外壁仕上材に略水平な横長の直線状の取付開口を形成する工程と、
建物の壁体内において、前記縦通気部を、その上端の開口が建物の小屋裏空間に連通可能な位置に配設して固定する工程と、
前記取付開口に前記横通気部を貫通させて前記外壁仕上材を取り付ける工程と、
前記横通気部に前記カバー材を装着固定する工程と、を行うことを特徴とする換気装置の取付方法。
【請求項４】
請求項１または請求項２に記載の換気装置による屋内空間の換気方法であって、
前記通気開口から流入された外気を、前記縦通気部の内部空間を下から上に向かって所定距離上昇させたのち、前記縦通気部の上端から所定の屋内空間または該屋内空間に連通されたダクトに流入させることを特徴とする屋内空間の換気方法。
【発明の詳細な説明】
【技術分野】
【０００１】
本発明は建物の壁面に取り付ける換気装置およびその取付方法、並びに屋内空間の換気方法に係り、特に暴風雨の際の雨水侵入防止が図られ、かつ、建物の外観意匠性を低下させない形状の換気装置およびその取付方法、並びに該換気装置による屋内空間の換気方法に関する。
【背景技術】
【０００２】
従来から、建物の外壁面に取り付けて屋外空間と屋内空間を連通させて換気を行うために、種々の換気装置や換気部材が用いられている。例えば、図５に示す軒裏換気部材１は、外壁材と軒天材との隙間にライン状に設置された金物であって、この金物には多数の通気孔が形成されている。このような金物により軒天と外壁との取り合い部分に通気孔を設けることで、小屋裏や天井裏の通気を可能としている。また、図６に示す壁面取付型の換気装置２は、外壁材に設けられた開口にダクトを接続し、このダクトの先端に丸型や半球形等のフード状の換気部材を取付けて構成されている。
【０００３】
しかしながら、図５の軒裏換気部材１は、その取付位置が外壁材と軒天材との隙間に限定されている。従って、妻側の壁面や片流れ屋根の軒側以外の壁面には取り付けることができず、妻側の壁面や片流れ屋根の軒側以外の壁面から換気できない。また、陸屋根の建物には取り付けられないという問題点があった。
また、図６の壁面取付型の換気装置２は軒下以外でも取付可能であるが、ダクトの先端に換気部材を取り付けるためダクト工事が必要となり、設置に手間がかかるという問題点があった。また、換気量を増加させるためには壁面に丸形や半球型等の目立つ換気部材を多数取り付けなければならず、建物の外観意匠性が低下するという問題点があった。
【０００４】
そこで、窓の上部に設けられる小庇を中空に形成し、この小庇の内部空間を通気空間として利用する構成が提案されている（例えば、特許文献１参照）。
特許文献１の小庇は、サッシ枠と外壁との隙間を貫通するように中空の内側突出部が設けられ、この内側突出部の屋外側に中空の小庇を接続し、小庇の下面に換気ガラリを設けている。従って、サッシ幅と同程度の幅の換気口により多くの換気量を確保することができ、しかも換気部材が小庇と兼用されているので、半球形等の目立つ換気部材を多数並べて設置する必要がない。従って、建物の外観意匠性を低下させることがない。
【０００５】
【特許文献１】特開平１０−７２９２１号公報
【発明の開示】
【発明が解決しようとする課題】
【０００６】
しかしながら、特許文献１の通気機能を持った小庇は、その設置位置が窓上部に限定されるため、窓のない壁面には使用できない。また、屋内側の開口位置が窓の上端高さとなっているので、窓の上端高さが低ければ、屋内側の開口位置が小屋裏空間から離れた位置となってしまう。また、通気空間がサッシ枠の上面に沿って略水平に設けられているので、雨水等が内側に侵入しやすいという問題点があった。
【０００７】
本発明は、上記問題点に鑑みてなされたものであって、その目的は、建物の壁面の任意の位置に任意の寸法で取付可能であり、建物の外観意匠性を低下させない形状であって、かつ、暴風雨の際の雨水侵入防止を図ることが可能な換気装置およびその取付方法、並びに該換気装置による屋内空間の換気方法を提供することにある。
【課題を解決するための手段】
【０００８】
前記課題は、本発明によれば、建物の壁面開口に取り付けられる換気装置において、建物の壁体内に配設され上下方向に通気可能な内部空間を有する縦通気部，前記壁面開口を貫通するように配設されると共に前記縦通気部の下端に一端が連通され他端が屋外に連通された内部空間を有する横通気部，を備えた本体部と、前記横通気部の前記壁面開口から屋外に突出した部分に取り付けられるカバー材と、を備え、前記横通気部の屋外突出部分は、略水平な横長の直線状の壁面開口に挿通可能な横長矩形断面の筒状体とされ、前記カバー材は、前記筒状体の上面と側面が内接するコの字断面部と、該コの字断面部の一端側を閉鎖する先端面と、を有して形成され、該先端面は前記横通気部の断面形状に対応した横長の直線形状とされ、前記先端面の下端と、前記筒状体の下面の先端との間に所定の通気開口が形成される位置に位置決めされて取り付けられることにより解決される。
【０００９】
このように、本発明の換気装置は、建物の壁面開口に取り付けられるので、その取付位置が軒天部や窓の上部などに限定されず、所望の位置に取付可能とされる。
また、この換気装置は、屋外突出部分が略水平な横長の直線状の壁面開口に挿通可能な横長矩形断面の筒状体とされている。そして、この筒状体に取り付けられるカバー材の先端面が、この筒状体の断面形状に対応した横長の直線形状とされている。このように、本発明では換気装置の屋外突出部分が横長の直線形状で薄型とされているので、その外観から換気装置と認識し難い。よって、外壁面上に露出して設置されていても違和感がなく目立たないので、建物の外観意匠性を低下させることがない。
また、横長、直線形状で薄型であるために、設置位置や設置幅を建物形状に合わせて適宜変更して用いることができる。また、設置幅の変更により換気面積を調整することができる。
【００１０】
また、本発明では、カバー材の下端と横通気部を構成する筒状体の先端との間に隙間が設定され、この隙間が下方に面した通気開口となっている。このように通気開口が下向きであれば、降雨時に雨が吹き込み難く、防水性が高められる。
【００１１】
また、本発明において、前記縦通気部の上端に設けられた開口は、所定の屋内空間に連通されたダクトを接続可能に形成することができる。
このように、縦通気部の上端に設けられた開口をダクトを介して換気すべき屋内空間と連通するようにすれば、換気装置の設置高さ位置の設定の自由度が高められる。よって、建物の外観意匠性を向上させることができる。
【００１２】
また、前記課題は、本発明によれば、請求項１または請求項２に記載の換気装置の取付方法であって、建物の壁面に取り付けられる外壁仕上材に略水平な横長の直線状の取付開口を形成する工程と、建物の壁体内において、前記縦通気部を、その上端の開口が建物の小屋裏空間に連通可能な位置に配設して固定する工程と、前記取付開口に前記横通気部を貫通させて前記外壁仕上材を取り付ける工程と、前記横通気部に前記カバー材を装着固定する工程と、を行うことにより解決される。
このように本発明では、換気装置が、その屋外突出部分である横通気部を建物の壁面開口に挿通させて取り付けると共に、縦通気部を壁体内に配設して取り付ける。従って、換気装置と外壁以外の部位との取り合いが発生しないので、施工が容易化され構成も単純化されている。
【００１３】
また、前記課題は、本発明によれば、請求項１または請求項２に記載の換気装置による屋内空間の通気方法であって、前記通気開口から流入された外気を、前記縦通気部の内部空間を下から上に向かって所定距離上昇させたのち、前記縦通気部の上端から所定の屋内空間または該屋内空間に連通されたダクトに流入させることにより解決される。
このように、外気を下方に面する通気開口から導入し、下から上へ一定距離以上運ふことにより、水滴等の侵入防止効果が図られる。
また、このように上下方向の通気空間を形成し、必要であればさらにダクトを利用して所望の屋内空間（例えば、小屋裏空間）に通気することにより、ベントボックスＳの開口の壁面における設置高さ位置の設定の自由度が高められている。これにより、建物の外観意匠性を向上させることができる。
【発明の効果】
【００１４】
本発明によれば、以下の効果を奏する。
○本発明の換気装置は、建物の壁面開口に取り付けられるので、その取付位置が軒天部や窓の上部などに限定されず、所望の位置に取付可能とされる。
○本発明の換気装置は、屋外突出部分が横長の直線形状で薄型とされているので、その外観から換気装置と認識し難い。よって、外壁面上に露出して設置されていても違和感がなく目立たないので、建物の外観意匠性を低下させることがない。
○横長、直線形状で薄型であるために、設置位置や設置幅を建物形状に合わせて適宜変更して用いることができる。また、設置幅の変更により換気面積を調整することができる。
○上下方向の通気空間を形成し、必要であればさらにダクトを利用して所望の屋内空間（例えば、小屋裏空間）に通気することにより、換気装置の建物壁面における設置高さ位置の設定の自由度が高められている。よって、建物の外観意匠性を向上させることができる。
【発明を実施するための最良の形態】
【００１５】
以下、本発明の一実施形態について、図を参照して説明する。なお、以下に説明する部材、配置等は、本発明を限定するものではなく、本発明の趣旨に沿って各種改変することができることは勿論である。
図１〜図４は本発明の換気装置の一実施形態を示すものであり、図１は換気装置が設置された建物の斜視図、図２は換気装置を建物に設置したときの縦断面図、図３は換気装置を建物に設置したときの横断面図（図１のＡ−Ａ断面図）、図４は換気装置を中央で縦に切断した断面分解斜視図である。
また、図５は従来例の換気装置の断面図、図６は従来例の換気装置の正面図である。
【００１６】
（ベントボックスＳの構成）
本発明の換気装置を、建物の小屋裏換気を行うためのベントボックスＳに適用した一実施形態について説明する。図１に示すように、本例のベントボックスＳは、建物Ｈの外壁Ｇの所定位置に形成された横長のスリット状の開口に取り付けられており、建物Ｈの外部に露出する部分が薄型で横長の直方体状となっている。従って、建物Ｈに取り付けた時の外観は水平直線状であり、換気部材と認識され難く、外壁面上に露出して設置されていても違和感がなく目立たない。つまり、建物Ｈの外観意匠性を低下させることがない形状に形成されている。
【００１７】
本例のベントボックスＳは、このように薄型で直線状であるために、設置位置や設置幅を建物形状に合わせて適宜変更して用いることができる。また、設置幅の変更により換気面積を適宜調整し、換気量を調整することができる。
なお、本例において、ベントボックスＳの幅およびベントボックスＳが取り付けられる外壁Ｇの開口幅寸法を、建物Ｈのモジュール寸法単位やモジュール寸法等の所定の寸法単位で適宜設定できるように各部品を構成すれば、部品や納まりを標準化することができる。これにより現場加工を減少させ、施工手間を減少させることができる。
また、このような薄型で横長の直方体状の形状は、小庇として用いることが可能な形状である。すなわち、本例のベントボックスＳを、例えば窓のすぐ上に設けることにより、小庇兼用の換気装置として用いることが可能である。
【００１８】
本例のベントボックスＳは、図２〜図４に示すように、縦向きの筒状体１１の下端部の側面に横向きの筒状体１２の端部が接続されることにより縦断面が略Ｌ字状となるように形成された本体部１０と、横向きの筒状体１２の屋外に突出している先端部分を上方から覆うカバー材２０と、縦向きの筒状体１１の内部空間に回動可能に取り付けられた止水羽３０と、横向きの筒状体１２の内部空間に取り付けられた防炎機構４０と、カバー材２０の下端部と横向きの筒状体１２との隙間に取り付けられた防虫網５０と、を主要構成要素とする。本例では、これらの部材が、ステンレスやアルミ、防錆処理を施した各種金属等により形成されている。
【００１９】
本例のベントボックスＳを取り付ける外壁Ｇは、外壁フレーム材を構成する木桟や柱などの構造材Ｇ１と、構造材Ｇ１の屋外側に貼設される合板Ｇ２と、合板Ｇ２の屋外側に取り付けられる縦胴縁Ｇ３と、縦胴縁Ｇ３の屋外側に貼設される外壁面材Ｇ４と、を備えて構成されている。構造材Ｇ１の室内側には軒桁や梁などの構造材Ｇ５が設けられている。また、構造材Ｇ１と構造材Ｇ１や構造材Ｇ５との間にはグラスウール等の断熱材が適宜配置されているが、これにより壁体内と小屋裏空間との通気性は妨げられないようになっている。
本例では、外壁面材Ｇ４、縦胴縁Ｇ３、合板Ｇ２を貫通するように横長のスリット状の開口が形成されているが、この開口は構造材Ｇ１の間の空間に連通されており、軒桁や梁などの構造材Ｇ５の上方において建物Ｈの小屋裏空間と連通されている。
【００２０】
本体部１０は、幅広で薄型の角形断面の縦向きの筒状体１１と、同じく幅広で薄型の角形断面の横向きの筒状体１２と、筒状体１１と筒状体１２の表面のうち、筒状体１１の屋外側の側面１１ａを含む面と交差する位置から、側面１１ａを含む面と略同一面をなすように四方に延出して形成された延出片１３と、を有して形成されている。
筒状体１１は構造材Ｇ１の間の空間内に配設されており、所定の上下方向長さとなるように形成されている。筒状体１１の側面１１ａには、その下端部に、筒状体１２の断面形状と略同一の横長のスリット状の取付開口が形成されており、この取付開口に筒状体１２の一端側が接続されている。また、筒状体１２の他端側は外壁面材Ｇ４、縦胴縁Ｇ３、合板Ｇ２の取付開口を貫通して外壁面材Ｇ４よりも屋外側まで延出されている。
【００２１】
本体部１０は、延出片１３を、構造材Ｇ１または構造材Ｇ１間に固定支持された下地桟Ｇ１ａに当接させて釘やビス等によって接合することにより、構造材Ｇ１に固定支持されている。そのため、ベントボックスＳを取り付けるための横長のスリット状の開口の周囲において、延出片１３が届く位置に、構造材Ｇ１または下地桟Ｇ１ａが設けられている。下地桟Ｇ１ａを設ける場合には、その屋外側面の位置を構造材Ｇ１の屋外側面と同一面上とする。これにより、筒状体１２の屋外突出寸法を、構造材Ｇ１に取り付けたときと略同一とすることができる。
【００２２】
また、固定された延出片１３と側面１１ａには、合板Ｇ２が当接されている。つまり、本例では、延出片１３が、合板Ｇ２と、構造材Ｇ１または下地桟Ｇ１ａとの間に挟まれた構成となっている。そして、延出片１３の屋外側表面には、ベントボックスＳと他部材との隙間からの雨水等の侵入を防止するために、２次止水部材としての両面防水テープ１４が連続して貼設される。本例では、この両面防水テープ１４によって延出片１３と合板Ｇ２との隙間を塞ぐことにより、合板Ｇ２に形成された開口から、構造材Ｇ１側の空間内への雨水等の侵入を確実に防止している。なお、外壁面材Ｇ４に形成した取付開口と筒状体１２との隙間には、１次止水部材としてのシーリングが施されている。
【００２３】
筒状体１１の上端は開口とされており、屋内側の側面１１ｂの上端位置が、屋外側の側面１１ａの上端位置よりも下側となるように屋内側の上端がカットされている。これにより、筒状体１１は上方向および屋内方向に向かって開口することとなる。よって、筒状体１１および本体部１０の内部空間は、構造材Ｇ１の間の空間または軒桁や梁などの構造材Ｇ５の上方空間を介して、建物Ｈの小屋裏空間と連通されている。
本例では、筒状体１１の上端の開口位置が、軒桁や梁などの構造材Ｇ５の上方となるような高さ位置に本体部１０を取り付けている。これにより、小屋裏空間と本体部１０の内部空間が直接連通され、小屋裏空間の換気を効率よく行うことができる。なお、筒状体１１の上端の開口位置と、小屋裏空間との距離が離れている場合には、筒状体１１の上端にダクトの一端を接続し、そのダクトを介して小屋裏空間とベントボックスＳ内の通気空間とを連通させてもよい。
【００２４】
筒状体１１の内部には、その略中央に、後述する止水羽３０が略水平な軸まわりに回動可能に取り付けられている。具体的には、側面１１ａと側面１１ｂの両端をそれぞれ接続して角形断面の筒状体１１を形成する略平行な側面１１ｃ、１１ｄの略中央に、止水羽３０の回転軸の両端が枢着されている。
また、筒状体１１の内部には、この止水羽３０が回動したときにその先端部が当接する位置に、薄板状のストッパ片１５が帯状に取り付けられている。ストッパ片１５は例えばゴム片などの緩衝性のある素材とする。このようにすると、止水羽３０の回動時にその先端を弾性支持することができる。
【００２５】
筒状体１２は、上述のように筒状体１１の下端部の側面に接続され、屋外側先端を若干下方に向けるようにして形成されている。この筒状体１２は、上方に位置する幅広の上側面１２ａと、上側面１２ａと略平行に形成され上側面１２ａの下方に位置する下側面１２ｂと、上側面１２ａと下側面１２ｂの両端をそれぞれ接続する略平行な側面１２ｃ、１２ｄと、によって薄型で幅広の角形断面をなすように形成されており、その屋外側先端は、外壁面材Ｇ４の表面から所定寸法屋外側に突出している。また、下側面１２ｂの先端には、下方に屈曲されごく短い長さで延出されたフラップ１２ｅが形成されている。
【００２６】
カバー材２０は、筒状体１２が丁度内接するような断面形状の筒状体の先端を閉鎖し、下方の側面１２ｂに当接する面をカットした形状とされている。すなわち、カバー材２０は、上側面１２ａの外側に当接する上側面２１と、上側面２１の左右両側に略垂直に接続され側面１２ｃ、１２ｄの外側に当接する側面２２、２３と、上側面２１および側面２２、２３の先端に略垂直に接続された先端面２４と、先端面２４の下端辺から外壁面材Ｇ４側に向かって短い長さで延出形成された下側面２５と、を有して形成されている。
【００２７】
このような形状により、カバー材２０は、上方から筒状体１２の先端に被せて取り付けまたは取り外しすることができ、着脱可能となっている。また、このカバー材２０は、筒状体１２に取付けて外壁Ｇの正面からみた正面視の形状が、薄型で横長の直方体状となるように形成されている。
また、カバー材２０を取り付けた状態において、カバー材２０の下側面２５と、筒状体１２の下側面１２ｂの先端部すなわちフラップ１２ｅとの間には、所定幅の隙間が形成されている。従って、この隙間から外気を筒状体１２の内部に導入し、筒状体１２から筒状体１１を抜ける通気経路を通って小屋裏空間側に導入し、換気を行うことができる。
【００２８】
このように、本例では、ベントボックスＳの屋外突出部の下端面に、屋外とベントボックスＳ内の通気空間を連通させる通気開口（外気流入口）が形成されている。また、ベントボックスＳの壁内に設置された部分には、上述のようにその上端に、ベントボックスＳ内の通気空間と小屋裏空間や壁体内を連通させる通気開口（筒状体１１の上端の開口）が形成されている。従って、通気空間内において、屋外からの流入空気は下から上へ移動されるようになっている。また、本例では、通気開口が下方に面しているので、降雨時に雨が吹き込み難く、防水性が高められる。
そして、本例では、カバー材２０の下側面２５と、筒状体１２のフラップ１２ｅとの隙間に防虫網５０が取り付けられている。従って、通気空間内へのごみや虫等の侵入を防止することができる。
【００２９】
止水羽３０は、筒状体１１の側面１１ａ、１１ｂに略平行な回転軸まわりに回動可能な略長方形の板状部材である。止水羽３０の回転軸は側面１１ａ、１１ｂの中間位置とされ、上述したように、筒状体１１の側面１１ｃ、１１ｄの略中央に、止水羽３０の回転軸の両端すなわち止水羽３０の短辺の中心部分が枢着されている。止水羽３０の長辺長さすなわち回転軸方向の長さは側面１１ａ、１１ｂの幅方向における筒状体１１の内法寸法と略同一とされている。また、止水羽３０の短辺長さすなわち回転軸に垂直な方向の長さは、側面１１ｃ、１１ｄの幅方向における筒状体１１の内法寸法よりも大きい寸法とされている。
【００３０】
止水羽３０は、無風時は図２の実線で示すように長辺側の端部を上下に向けて縦向きとなっている。この状態で、筒状体１１内に流入した外部空気が、図２の矢印Ｘに示すように下から上へ上昇すると、下側の羽根面がこの上昇空気の流れを受け、上昇空気の風圧が一定以上となれば、止水羽３０が回動される。また、小屋裏側からの流出空気が上から下へ下降すると、上側の羽根面がこの下降空気の流れを受け、下降空気の風圧が一定以上となれば、止水羽３０が回動される。
【００３１】
つまり、止水羽３０は、筒状体１１内を上下方向に通り抜ける空気流の風圧が所定以上となることにより回動される。そして、回転軸に垂直な方向の長さが筒状体１１の内法寸法よりも大きいため、図２の点線で示すように、長辺側の端部が側面１１ａ、１１ｂにぶつかって回動が止まる。上述のように筒状体１１の内部には、止水羽３０の先端がぶつかる位置に、帯状に取り付けられた薄板状のストッパ片１５が設けられている。そして、止水羽３０の長辺側の端部には小さな略Ｃ字断面部が形成されている。従って、止水羽３０の端部が勢い良く回動してぶつかった衝撃は、ストッパ片１５により緩衝されると共に、その衝撃を受けるのが略Ｃ字断面部の外周面であるため、ストッパ片１５に略Ｃ字断面部の角部が弾性的に衝突して、ストッパ片１５と止水羽３０の端部が密接される。
【００３２】
このように、本例では、空気流により止水羽３０が回動されてその先端がストッパ片１５に密接されることにより、筒状体１１内の通気経路が閉鎖されて空気流が遮断される。つまり、屋外に連通された筒状体１２から筒状体１１へと風雨が侵入し始めると、その風圧によって止水羽３０が回動されて通気経路を閉鎖し、その後の風雨の侵入を防止することができる。本例のベントボックスＳでは、本願出願人が行った確認試験の結果、止水羽３０は、７〜１５ｍ／ｓの風速で回動して通気経路を閉鎖することが確認された。
【００３３】
また、本例では、止水羽３０によって、暴風時に空気流と共に下から上へ筒体内に吹き込んでくる雨水の流入もまた遮断されるが、このような止水羽３０による雨水の流入の遮断効果は、下から上に雨水が吹き上がる通気空間の高さ寸法や、止水羽３０の設置高さにもよる。すなわち、本例の構成では、ベントボックスＳの内部に下から上に向かって空気が流入する通気空間を形成することにより、換気時の雨水侵入防止効果を向上させている。具体的には、止水羽３０が設置される通気空間の高さ寸法すなわち筒状体１１の上下方向長さ寸法は１３０ｍｍ程度とされており、止水羽３０の回転中心はその中央付近とされている。
【００３４】
このような寸法設定において、局所風雨試験等の暴風雨状態を再現した試験により雨水侵入遮断効果の確認試験を行った。その結果、局所風雨試験では、風速２０〜２５ｍ／ｓの暴風雨において、筒状体１１の上部から小屋裏空間側への雨水の侵入がないことが確認された。また、その他の試験でも、風速３５ｍ／ｓの暴風雨を再現した試験において、小屋裏空間側への雨水の侵入がないことが確認された。このように、本例のベントボックスＳの構成では、台風などの暴風時に、雨水の侵入を良好に防止可能となっている。
【００３５】
防炎機構４０は、カバー材２０の先端面２４に一端が回転可能に軸支された閉鎖板４１と、閉鎖板４１の回転軸に設けられ、閉鎖板４１を外気流入口側すなわち筒状体１２の下側面１２ｂ側に付勢するばね等の付勢部材４２と、閉鎖板４１の自由端を筒状体１２の上側面１２ａに仮固定するヒューズ部材４３と、を備えている。
【００３６】
このような構成により、防炎機構４０は、ヒューズ部材４３が火災時の熱風や火炎の高熱によって切断されることにより、火災時には閉鎖板４１が筒状体１２の下側面１２ｂに当接するように回動される。そして、回動された閉鎖板４１によって通気開口、すなわちカバー材２０の下側面２５と筒状体１２のフラップ１２ｅとの隙間を強制的に塞ぐことができる。これにより、火災時には、外気流入口からベントボックスＳ内の通気空間を介して火災が屋内に侵入するのを防止することができる。
【００３７】
また、防炎機構４０が不要な設置場所では、防炎機構４０をベントボックスＳから省略した構成としてもよい。また、本例ではカバー材２０は着脱可能とされているので、防炎機構４０の取り外しや後付けが容易となっている。
なお、本例の筒状部１１が本発明の縦通気部に相当し、本例の筒状部１２が本発明の横通気部に相当し、本例の上側面２１、側面２２、側面２３が本発明のコの字断面部に相当し、本例の下側面２５とフラップ１２ｅとの隙間が本発明の通気開口に相当する。
【００３８】
（ベントボックスＳの施工方法）
次に、上記各構成によるベントボックスＳを取り付けた外壁Ｇの施工方法について説明する。ベントボックスＳを取り付けた外壁Ｇの施工は、外壁Ｇ部分が、工場の外壁パネル生産ラインにおいて組み立てられて建築現場に搬入されている場合は工場において行われ、建設現場において外壁Ｇを組み立てている場合には現場において行われる。
【００３９】
（１）まず、外壁面材Ｇ４と、その下地として施工される合板Ｇ２の所定位置に、ベントボックスＳを取り付けるための略同一形状の横に細長い取付開口を形成する。また、外壁面材Ｇ４と合板Ｇ２の間に施工される縦胴縁Ｇ３についても、この取付開口部分には施工されないように、部材をカットする加工を行う。
【００４０】
（２）次に、外壁フレーム形状に組み立てられた構造材Ｇ１の間の上記取付開口に対応する位置に、内部に止水羽３０がすでに取り付けられた本体部１０を位置決めし、延出片１３を構造材Ｇ１の屋外側面に重ねて釘やビス等により固定する。なお、延出片１３の位置に固定されるべき構造材Ｇ１が設けられていない場合には、構造材Ｇ１に適宜下地桟Ｇ１ａを取り付けて、延出片１３を固定するための下地部材を確保する。
【００４１】
（３）次に、固定された延出片１３の屋外側面に両面防水テープ１４を施工する。そして、合板Ｇ２を、その取付開口に本体部１０の筒状体１２が挿通されるように位置決めすると共に、延出片１３および筒状体１１に２次止水部材としての両面防水テープ１４を介して当接させる。そして、合板Ｇ２を構造材Ｇ１に釘やビス等により固定する。なお、本体部１０が取り付けられた部位以外の部位では、合板Ｇ２の屋内側に防水紙等の防水材を施工してもよい。また、両面防水テープ１４は、延出片１３と構造材Ｇ１または下地桟Ｇ１ａとの境界をまたぐように施工すれば、延出片１３と構造材Ｇ１または下地桟Ｇ１ａとの隙間からの水の侵入を防止することができるので、なお効果的である。
【００４２】
（４）次に、合板Ｇ２の屋外側面に、取付開口の位置を避けて縦胴縁Ｇ３を施工する。そして、外壁面材Ｇ４を、その取付開口に本体部１０の筒状体１２が挿通されるように位置決めして縦胴縁Ｇ３に固定する。その後、外壁面材Ｇ４、縦胴縁Ｇ３と筒状体１２の外周面との隙間にバックアップ材を挿入し、その外側に１次止水部材としてのシーリング材を施工する。
【００４３】
（５）次に、外壁面材Ｇ４の取付開口から屋外側に突出している筒状体１２の先端部に、カバー材２０を被せて位置決めし、固定する。固定方法は、例えばビスや金属片の係合などにより行うことができる。なお、カバー材２０の内側面に、筒状体１２の先端部に当接する突起を設けておけば、カバー材２０の位置決めをより容易に行うことができる。
なお、カバー材２０は着脱可能とされているので、このように一旦取り付けた後でも、防炎機構４０を取り外したり、後付けで防炎機構４０を取り付けたりすることが可能となっている。
【００４４】
（屋内空間の換気方法）
続いて、上記各構成によるベントボックスＳを設置して行われる建物の屋内空間（例えば、小屋裏空間）の換気方法について説明する。
（１）本例では、通気開口（外気流入口）が、ベントボックスＳの屋外突出部の下端面に下方に面して設けられている。従って、この通気開口からベントボックスＳ内に外気を導入すると、通気開口（外気流入口）において、図２の矢印Ｘのように、下から上へ向かう空気流が発生する。
（２）通気開口（外気流入口）から流入した外気は、筒状体１２を略水平に屋内側に向かって通過した後、筒状体１１を通る際に、また下から上へ向かう空気流となる。
（３）筒状体１１の上端からベントボックスＳ外に流出した外気は、小屋裏空間に近い壁体内空間または小屋裏空間内に直接流入する。あるいは、筒状体１１の上端に接続されたダクトを介して、小屋裏空間内に流入される。この際の空気の流れは、屋外側から屋内側へ向かう流入方向、または下から上へ向かう流入方向である。
【００４５】
以上のようにして、本例のベントボックスＳでは、外気が下方に面する通気開口から導入され、下から上へ一定距離以上運ばれる。従って、通気空間内への導入時にまず水滴等の侵入防止効果が図られ、さらに下から上へ運ばれる経路を一定長さ以上運ばれることによって、さらに水滴等の侵入防止効果が図られる。
また、このように上下方向の通気空間を形成し、必要であればさらにダクトを利用して所望の屋内空間（例えば、小屋裏空間）に通気することにより、ベントボックスＳの開口の壁面における設置高さ位置の設定の自由度が高められている。これにより、建物の外観意匠性を向上させることができる。
【図面の簡単な説明】
【００４６】
【図１】本実施形態の換気装置が設置された建物の斜視図である。
【図２】本実施形態の換気装置を建物に設置したときの縦断面図である。
【図３】本実施形態の換気装置を建物に設置したときの横断面図である。
【図４】本実施形態の換気装置の断面分解斜視図である。
【図５】従来例の換気装置の断面図である。
【図６】従来例の換気装置の正面図である。
【符号の説明】
【００４７】
１‥‥‥軒裏換気部材
２‥‥‥換気装置
１０‥‥本体部
１１‥‥筒状体
１１ａ，１１ｂ，１１ｃ，１１ｄ‥側面
１２‥‥筒状体
１２ａ‥上側面
１２ｂ‥下側面
１２ｃ，１２ｄ‥側面
１２ｅ‥フラップ
１３‥‥延出片
１４‥‥両面防水テープ
１５‥‥ストッパ片
２０‥‥カバー材
２１‥‥上側面
２２‥‥側面
２３‥‥側面
２４‥‥先端面
２５‥‥下側面
３０‥‥止水羽
４０‥‥防炎機構
４１‥‥閉鎖板
４２‥‥付勢部材
４３‥‥ヒューズ部材
５０‥‥防虫網
Ｇ‥‥‥外壁
Ｇ１‥‥構造材
Ｇ１ａ‥下地桟
Ｇ２‥‥合板
Ｇ３‥‥縦胴縁
Ｇ４‥‥外壁面材
Ｇ５‥‥構造材
Ｈ‥‥‥建物
Ｓ‥‥‥ベントボックス
【図１】
0004809693.tif 000002
【図２】
0004809693.tif 000003
【図３】
0004809693.tif 000004
【図４】
0004809693.tif 000005
【図５】
0004809693.tif 000006
【図６】
0004809693.tif 000007